(57)【要約】【課題】簡単かつ容易に、しかも能率よく安価に多量製作する。土台表面を綺麗に成形しながら、強靭な構造として破損や損傷を極減する。【解決手段】間接法作業模型は、土台１と固定プレート２とダウエルピン３と歯形模型４とを備える。土台１は、ダウエルピン３を抜き差しできるように挿入する連結穴５を備え、この連結穴５にダウエルピン３を入れて、固定プレート２を土台１の定位置に連結している。さらに、土台１は、プラスチックで成形してなる本体部６と、この本体部６と固定プレート２との間に配設してなる石膏プレート部７とを備える。本体部６と石膏プレート部７は、互いに嵌着構造で定位置に連結されており、本体部６に石膏プレート部７を積層する状態で、石膏プレート部７を貫通して本体部６に延びる連結穴５を設けている。間接法作業模型は、連結穴５にダウエルピン３を挿入して、固定プレート２を石膏プレート部７の定位置に配置している。【選択図】図３
2006223693.tif 000002
【特許請求の範囲】
【請求項１】
土台(1)と、この土台(1)の定位置に脱着できるように連結してなる石膏からなる固定プレート(2)と、固定プレート(2)に一端を固定して、固定プレート(2)を土台(1)の定位置に脱着できるように連結するダウエルピン(3)と、固定プレート(2)に固定してなる歯形模型(4)とを備え、
土台(1)はダウエルピン(3)を抜き差しできるように挿入する連結穴(5)を備え、この連結穴(5)にダウエルピン(3)を入れて、固定プレート(2)を土台(1)の定位置に連結するようにしてなる間接法作業模型であって、
土台(1)が、プラスチックで成形してなる本体部(6)と、この本体部(6)と固定プレート(2)との間に配設してなる石膏プレート部(7)とを備え、本体部(6)と石膏プレート部(7)は、互いに嵌着構造であって定位置に連結されており、本体部(6)に石膏プレート部(7)を積層する状態で、石膏プレート部(7)を貫通して本体部(6)に延びるように連結穴(5)を設けており、連結穴(5)にダウエルピン(3)を挿入して、固定プレート(2)を石膏プレート部(7)の定位置に配置するようにしてなることを特徴とする間接法作業模型。
【請求項２】
土台(1)と、この土台(1)の定位置に脱着できるように連結してなる石膏からなる固定プレート(2)と、固定プレート(2)に一端を固定して、固定プレート(2)を土台(1)の定位置に脱着できるように連結するダウエルピン(3)と、固定プレート(2)に固定してなる歯形模型(4)とを備え、
土台(1)はダウエルピン(3)を抜き差しできるように挿入する連結穴(5)を備え、この連結穴(5)にダウエルピン(3)を入れて、固定プレート(2)を土台(1)の定位置に連結するようにしてなる間接法作業模型であって、
土台(1)が、プラスチックで成形してなる本体部(6)と、この本体部(6)と固定プレート(2)との間に配設してなる石膏ブロック部(23)とを備え、本体部(6)と石膏ブロック部(23)は、互いに嵌着構造であって定位置に連結されており、石膏ブロック部(23)に連結穴(5)を設けており、連結穴(5)にダウエルピン(3)を挿入して、固定プレート(2)を石膏ブロック部(23)の定位置に配置するようにしてなることを特徴とする間接法作業模型。
【請求項３】
土台(1)と、この土台(1)の定位置に脱着できるように連結してなる石膏からなる固定プレート(2)と、固定プレート(2)に一端を固定して、固定プレート(2)を土台(1)の定位置に脱着できるように連結するダウエルピン(3)と、固定プレート(2)に固定している歯形模型(4)とを備え、
土台(1)はダウエルピン(3)を抜き差しできるように挿入する連結穴(5)を備え、この連結穴(5)にダウエルピン(3)を入れて、固定プレート(2)を土台(1)の定位置に連結するようにしてなる間接法作業模型であって、
土台(1)が、プラスチックシートを上方開口の容器形状に成形している成形容器(13)と、この成形容器(13)に充填してなる石膏泥を硬化させた石膏成形部(14)とを備え、石膏成形部(14)の表面に成形容器(13)を付着して、成形容器(13)で石膏成形部(14)を成形すると共に、成形容器(13)でもって石膏成形部(14)の表面をカバーしてなる間接法作業模型。
【請求項４】
成形容器(13)がプラスチックシートを真空成形してなる請求項３に記載される間接法作業模型。
【請求項５】
土台(1)と、この土台(1)の定位置に脱着できるように連結してなる石膏からなる固定プレート(2)と、固定プレート(2)に一端を固定して、固定プレート(2)を土台(1)の定位置に脱着できるように連結するダウエルピン(3)と、固定プレート(2)に固定している歯形模型(4)とを備え、
土台(1)が、ダウエルピン(3)を抜き差しできるように挿入する連結穴(5)を備えるプラスチックを成形してなるプラスチック成形土台(15)で、このプラスチック成形土台(15)は、固定プレート(2)を成形する石膏泥を充填して成形する成形周壁(16)を除去できるように連結して設けており、
プラスチック成形土台(15)の連結穴(5)にダウエルピン(3)を挿入し、成形周壁(16)の内側に石膏泥を入れて固定プレート(2)を成形すると共に、この石膏泥で成形される固定プレート(2)を介して歯形模型(4)を固定してなる間接法作業模型。
【請求項６】
ダウエルピン(3)が、端部を固定プレート(2)に埋設してなるノーマルピン(3A)と、端部を固定プレート(2)に埋設しないダミーピン(3B)とからなる請求項５に記載される間接法作業模型。
【請求項７】
成形周壁(16)とプラスチック成形土台(15)とをプラスチックで一体的に成形して、成形周壁(16)とプラスチック成形土台(15)との境界に沿って切離部(18)を設けている請求項５に記載される間接法作業模型。
【発明の詳細な説明】
【技術分野】
【０００１】
この発明は、歯科補綴物等を製作する場合に用いる間接法作業模型に関する。
【背景技術】
【０００２】
歯科医は以下の工程で間接法作業模型を製作する。
(1)  患者の口腔からとった印象に基づいて石膏で歯形模型を成形する。
(2)  この歯形模型の下面を平坦に削って孔をあけ、孔に空気を噴射し、さらに加圧された水を噴射して清掃する。
(3)  瞬間接着剤、速重レジンを使用して、ダウエルピンを孔に固着する。
(4)  余分な石膏、接着剤、レジンを除去して成形する。
(5)  歯形模型に回転防止溝を設ける。
(6)  歯形模型の下面とダウエルピンの表面に離型剤を塗布し、予め石膏泥を充填した土台用シリコーンゴム型に押し込み、石膏ペーストが硬化した後、脱型して歯科技工用間接法作業模型とする。
【０００３】
以上の方法で作業模型を製造するには、熟練と時間を要する手作業が多く、作業性が悪い欠点がある。この欠点を解消することを目的として、本発明者は、図１に示す間接法作業模型を開発した。（特許文献１参照）
【０００４】
この間接法作業模型は、土台３１の定位置に固定プレート３２を連結している。固定プレート３２の上には歯形模型３４が固定される。固定プレート３２を土台３１の定位置に固定するために、固定プレート３２の下面にダウエルピン３３を固定している。土台３１は、ダウエルピン３３を脱着できるように挿入する連結穴３５を設けている。
【特許文献１】特開２０００−２４５７４９号公報
【発明の開示】
【発明が解決しようとする課題】
【０００５】
図１に示す間接法作業模型は、歯形模型３４と固定プレート３２を簡単に切断するために、土台３１の上面に凸部３６を一体的に成形して設けている。凸部３６は、歯形模型３４と同じ外形として、歯形模型３４と固定プレート３２を切り離しし易いようにしている。この構造の間接法作業模型は、土台３１の全体を石膏で製作して、歯形模型３４と固定プレート３２とを切断しやすくできる。歯形模型３４と固定プレート３２と一緒に凸部３６を切断して、歯形模型３４と固定プレート３２を簡単に切り離しできるからである。
【０００６】
ただ、この構造の間接法作業模型は、土台の製造コストが高く、とくに凸部を歯形模型と同じ形状に成形するのに手間がかかる欠点がある。それは、外形よりも小さい外周形状の凸部を上面に設けている土台を、シリコンゴムの成形型に石膏泥を充填して製作しているからである。この形状の土台を形成する成形型は、開口部を細く絞り、あるいは複数に分割する構造とする必要がある。開口部を細く絞っているシリコンゴムの成形型は、開口部を無理に開いて脱型する必要があり、簡単に脱型できない。また複数の成形型を分離する構造の場合、各々の成形型を正確な位置に連結するのに手間がかかり、連結位置がずれると正確な土台を成形できなくなる欠点がある。
【０００７】
また、この構造の間接法作業模型は、表面を綺麗に成形するのが極めて難しい。それは、成形型に石膏泥を充填するときに、成形型の内面に空気が侵入し、これを完全に除去するのが難しいからである。
【０００８】
さらにまた、石膏で全体を成形している土台は、全体の強度も充分でなく衝撃で割れたり破損しやすい欠点がある。また、成形型に石膏泥を充填して成形するために、安価に能率よく多量生産できず、製造コストが高くなる欠点もあった。
【０００９】
本発明は、このような欠点を解決することを目的に開発されたものである。本発明の重要な目的は、簡単かつ容易に、しかも能率よく安価に多量製作できる間接法作業模型を提供することにある。
また、本発明の他の大切な目的は、土台表面を綺麗に成形しながら、強靭な構造として破損や損傷を極減できる間接法作業模型を提供することにある。
【課題を解決するための手段】
【００１０】
本発明の請求項１の間接法作業模型は、土台１と、この土台１の定位置に脱着できるように連結してなる石膏からなる固定プレート２と、固定プレート２に一端を固定して、固定プレート２を土台１の定位置に脱着できるように連結するダウエルピン３と、固定プレート２に固定してなる歯形模型４とを備える。土台１は、ダウエルピン３を抜き差しできるように挿入する連結穴５を備え、この連結穴５にダウエルピン３を入れて、固定プレート２を土台１の定位置に連結している。さらに、土台１は、プラスチックで成形してなる本体部６と、この本体部６と固定プレート２との間に配設してなる石膏プレート部７とを備える。本体部６と石膏プレート部７は、互いに嵌着構造で定位置に連結されており、本体部６に石膏プレート部７を積層する状態で、石膏プレート部７を貫通して本体部６に延びるように連結穴５を設けている。間接法作業模型は、連結穴５にダウエルピン３を挿入して、固定プレート２を石膏プレート部７の定位置に配置している。
【００１１】
本発明の請求項２の間接法作業模型は、土台１と、この土台１の定位置に脱着できるように連結してなる石膏からなる固定プレート２と、固定プレート２に一端を固定して、固定プレート２を土台１の定位置に脱着できるように連結するダウエルピン３と、固定プレート２に固定してなる歯形模型４とを備える。土台１は、ダウエルピン３を抜き差しできるように挿入する連結穴５を備え、この連結穴５にダウエルピン３を入れて、固定プレート２を土台１の定位置に連結している。さらに、土台１は、プラスチックで成形してなる本体部６と、この本体部６と固定プレート２との間に配設してなる石膏ブロック部２３とを備える。本体部６と石膏ブロック部２３は、互いに嵌着構造であって定位置に連結されている。さらに、土台１は、石膏ブロック部２３に連結穴５を設けており、連結穴５にダウエルピン３を挿入して、固定プレート２を石膏ブロック部２３の定位置に配置している。
【００１２】
本発明の請求項３の間接法作業模型は、土台１と、この土台１の定位置に脱着できるように連結してなる石膏からなる固定プレート２と、固定プレート２に一端を固定して、固定プレート２を土台１の定位置に脱着できるように連結するダウエルピン３と、固定プレート２に固定している歯形模型４とを備える。土台１は、ダウエルピン３を抜き差しできるように挿入する連結穴５を備え、この連結穴５にダウエルピン３を入れて、固定プレート２を土台１の定位置に連結している。さらに、土台１は、プラスチックシートを上方開口の容器形状に成形している成形容器１３と、この成形容器１３に充填してなる石膏泥を硬化させた石膏成形部１４とを備える。土台１は、石膏成形部１４の表面に成形容器１３を付着して、成形容器１３で石膏成形部１４を成形すると共に、成形容器１３でもって石膏成形部１４の表面をカバーしている。
【００１３】
本発明の請求項４の間接法作業模型は、請求項３の間接法作業模型であって、成形容器１３として、プラスチックシートを真空成形したものを使用している。
【００１４】
本発明の請求項５の間接法作業模型は、土台１と、この土台１の定位置に脱着できるように連結してなる石膏からなる固定プレート２と、固定プレート２に一端を固定して、固定プレート２を土台１の定位置に脱着できるように連結するダウエルピン３と、固定プレート２に固定している歯形模型４とを備える。土台１は、プラスチックを成形してなるプラスチック成形土台１５であって、ダウエルピン３を抜き差しできるように挿入する連結穴５を設けている。このプラスチック成形土台１５は、固定プレート２を成形する石膏泥を充填して成形する成形周壁１６を除去できるように連結して設けている。間接法作業模型は、プラスチック成形土台１５の連結穴５にダウエルピン３を挿入し、成形周壁１６の内側に石膏泥を入れて固定プレート２を成形すると共に、この石膏泥で成形される固定プレート２を介して歯形模型４を固定している。
【００１５】
本発明の請求項６の間接法作業模型は、ダウエルピン３が、端部を固定プレート２に埋設してなるノーマルピン３Ａと、端部を固定プレート２に埋設しないダミーピン３Ｂとを備えている。本発明の請求項７の間接法作業模型は、成形周壁１６とプラスチック成形土台１５とをプラスチックで一体的に成形して、成形周壁１６とプラスチック成形土台１５との境界に沿って切離部１８を設けている。
【発明の効果】
【００１６】
本発明の請求項１と請求項２の間接法作業模型は、簡単かつ容易に、しかも能率よく安価に多量製作できる特長がある。それは、これらの間接法作業模型が、プラスチックで成形してなる本体部と、この本体部と固定プレートとの間に配設してなる石膏プレート部あるいは石膏ブロック部とで土台を構成しており、互いに嵌着構造で積層して定位置に連結される本体部と石膏プレート部とに設けた連結穴にダウエルピンを挿入し、あるいは石膏ブロック部に設けた連結穴にダウエルピンを挿入して、固定プレートを土台の定位置に配置しているからである。これらの構造の間接法作業模型は、土台を本体部と石膏プレート部とに分割して、あるいは本体部と石膏ブロック部とに分割して製作しており、土台の凸部を石膏プレート部あるいは石膏ブロック部で構成し、他の部分をプラスチックで成形して本体部としているので、従来では成形に手間がかかっていた土台を、簡単かつ容易に、しかも安価に多量製作できる。さらに、これらの間接法作業模型は、土台の本体部をプラスチックで成形しているので、土台表面を綺麗に成形しながら、強靭な構造として破損や損傷を極減できる。
【００１７】
本発明の請求項３の間接法作業模型は、プラスチックシートを上方開口の容器形状に成形している成形容器と、この成形容器に充填してなる石膏泥を硬化させた石膏成形部とで土台を構成し、成形容器で石膏成形部を成形しているので、従来では成形に手間がかかっていた土台を、簡単かつ容易に、しかも安価に多量製作できる。それは、この成形容器を石膏成形部の成形型に併用しながら、成形容器に石膏泥を充填して石膏成形部を成形できるからである。さらに、この間接法作業模型は、石膏成形部の表面に成形容器を付着して、成形容器でもって石膏成形部の表面をカバーしているので、石膏成形部の周囲を成形容器で補強して強靭な構造としながら、土台表面を綺麗な外観にできる特長もある。
【００１８】
さらに、本発明の請求項５の間接法作業模型も、簡単かつ容易に、しかも能率よく安価に多量製作できる特長がある。それは、この間接法作業模型が、土台を、プラスチックを成形してなるプラスチック成形土台とすると共に、このプラスチック成形土台には、固定プレートを成形する成形周壁を連結して設けており、プラスチック成形土台の連結穴にダウエルピンを挿入し、成形周壁の内側に石膏泥を入れて固定プレートを成形すると共に、石膏泥で成形される固定プレートを介して歯形模型を固定しているからである。この間接法作業模型は、土台をプラスチック成形土台とするので、従来では成形に手間がかかっていた土台を、簡単かつ容易に、しかも安価に多量製作できる。しかも、この間接法作業模型は、プラスチック成形土台に連結してなる成形周壁の内側に石膏泥を入れて固定プレートを成形するので、能率よく固定プレートを製作できることに加えて、この石膏泥を硬化させて歯形模型を固定するので、間接法作業模型を極めて効率よく、しかも安価に多量製作できる。さらに、この間接法作業模型は、土台をプラスチック成形土台としているので、土台表面を綺麗に成形しながら、強靭な構造として破損や損傷を極減できる特長もある。
【発明を実施するための最良の形態】
【００１９】
以下、本発明の実施例を図面に基づいて説明する。ただし、以下に示す実施例は、本発明の技術思想を具体化するための間接法作業模型を例示するものであって、本発明は間接法作業模型を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２と図３に示す間接法作業模型は、土台１と、この土台１の定位置に脱着できるように連結している石膏からなる固定プレート２と、この固定プレート２に一端を固定して、固定プレート２を土台１の定位置に脱着できるように連結する複数本のダウエルピン３と、固定プレート２に固定している歯形模型４とを備える。
【００２２】
土台１は、ダウエルピン３を抜き差しできるように挿入する連結穴５を設けている。複数のダウエルピン３は、固定プレート２に平行に固定している。各々のダウエルピン３は、固定プレート２に直交する姿勢で上端を固定プレート２に固定している。さらに、ダウエルピン３は連結穴５にスムーズに挿入できるように、先端を細くするテーパー状としている。また、連結穴５に入れて回転しないように、断面図形状を非円形としている。連結穴５は、ダウエルピン３を隙間なく挿入できる形状であって、各々のダウエルピン３を挿入できる位置に設けられる。ダウエルピン３は固定プレート２に直交する姿勢で固定しているので、連結穴５は固定プレート２との当接面に対して直交する姿勢で設けられる。各々の連結穴５にダウエルピン３を入れて、固定プレート２は土台１の定位置に連結され、ダウエルピン３を連結穴５から引き抜いて、固定プレート２は土台１から分離される。
【００２３】
土台１は、プラスチックで成形して製作している本体部６と、この本体部６と固定プレート２との間に配設している石膏プレート部７とを備える。本体部６と石膏プレート部７は、互いに嵌着構造で定位置に連結される。土台１は、本体部６に石膏プレート部７を積層する状態で、石膏プレート部７を貫通して本体部６に延びるように連結穴５を設けている。石膏プレート部７と本体部６に設けた連結穴５にダウエルピン３が挿入されて、固定プレート２は石膏プレート部７の定位置に連結して配置される。石膏プレート部７と本体部６とは定位置に連結しているので、石膏プレート部７の定位置に連結される固定プレート２は、石膏プレート部７と本体部６からなる土台１の定位置に連結される。
【００２４】
本体部６は、全体をプラスチックで一体的に成形している。この本体部６は、プラスチックを射出成形して安価に多量生産される。ただ、本体部は、射出成形以外の方法でも成形できる。本体部６は、成形する工程で連結穴５を設けている。図の本体部６は、平面形状をアーチ状に湾曲する形状として、上面から下方に垂直に延長する複数の連結穴５を設けている。
【００２５】
本体部６と石膏プレート部７は、嵌着構造で定位置に連結される。このことを実現するために、図の本体部６は、石膏プレート部７を挿入して定位置に連結する嵌着凹部８を上面に設けている。嵌着凹部８は、石膏プレート部７を嵌入できるように、内形を石膏プレート部７の外形にほぼ等しく、正確には石膏プレート部７の外形よりもわずかに大きくしている。石膏プレート部７は、本体部６の外形よりも小さい外形としている。したがって、本体部６は、本体部６の上面の周縁に凸条９を設けて、その内側に嵌着凹部８を設けている。嵌着凹部８の深さは、石膏プレート部７の厚さよりもわずかに浅く、たとえば、石膏プレート部７の厚さよりも０．１ｍｍ〜５ｍｍ、好ましくは０．２ｍｍ〜３ｍｍ、さらに好ましくは０．３〜２ｍｍ厚くしている。この本体部６は、嵌着凹部８に入れる石膏プレート部７の上面を、本体部６の上面から突出できる。この構造の土台１は、石膏プレート部７の上に固定している固定プレート２を簡単に切断できる。それは、固定プレート２と一緒に、プラスチック製の本体部６よりも切り易い石膏プレート部７の上部が切断されるからである。
【００２６】
石膏プレート部７は、全体を石膏で製作して、特定の決められた位置にダウエルピン３を挿通する連結穴５を貫通して設けている。石膏プレート部７は、下面を平面状として、本体部６の嵌着凹部８の底面に密着する。さらに、石膏プレート部７の上面は、その両側に連結凸部１０を一体的に成形して設けている。図の石膏プレート部７は、連結穴５の両側に連結凸部１０を設けている。固定プレート２は、連結凸部１０を案内する位置に連結凹部１１を設けている。この構造は、固定プレート２と石膏プレート部７の連結位置をより正確にできる。それは、固定プレート２のダウエルピン３を連結穴５に入れ、さらに石膏プレート部７の連結凸部１０を固定プレート２の連結凹部１１に入れて、固定プレート２が石膏プレート部７の正確な位置に連結されるからである。さらに、図の石膏プレート部７は、縦方向に伸びる連結凸条１２も上面に設けている。固定プレート２は、連結凸条１２を嵌入する連結溝（図示せず）を下面に設けている。固定プレート２と石膏プレート部７は、連結凸条１２を連結溝に入れて、さらに正確な位置に連結される。
【００２７】
石膏プレート部７は、固定プレート２と同じ外形としている。この構造の土台１は、固定プレート２を歯牙模型４Ａの間でさらに簡単に切断できる。それは、石膏プレート部７の上部を、固定プレート２の下部の一部と同じようにして切断できるからである。したがって、石膏プレート部７は、好ましくは固定プレート２の外形に等しく成形される。ただ、石膏プレート部の外形は、固定プレートの外形よりも大きく、あるいは小さく、あるいはまた異なる形状とすることもできる。
【００２８】
固定プレート２の上面には、歯形模型４が固定される。図の間接法作業模型は、平面形状をアーチ状とする歯形模型４を固定できるように、石膏プレート部７と固定プレート２の平面形状をアーチ状としている。複数の歯牙模型４Ａを備える歯形模型４は、各々の歯牙模型４Ａの境界で切断される。切断された各々の歯形模型４を独立して土台１に連結できるように、複数のダウエルピン３を固定している。したがって、ダウエルピン３は、好ましくは各々の歯牙模型４Ａの下方に配置される。固定プレート２は、上に歯形模型４を固定する状態で、歯形模型４と一緒に切断される。
【００２９】
以上の間接法作業模型は、土台１のほとんどの部分をプラスチック製の本体部６とする。土台１は、好ましくは、本体部６の体積を全体の６０％以上、好ましくは８０％以上、さらに好ましくは８５％以上とする。たとえば、土台１の本体部６の厚さを１５ｍｍとして幅を３０ｍｍ、石膏プレート部７の厚さを３ｍｍとして幅を１５ｍｍとすれば、本体部６の体積が９０％、石膏プレート部７が１０％となって、本体部６が９０％を示す。このように、土台１のほとんどをプラスチック製の本体部６とする間接法作業模型は、土台１を極めて安価に多量生産できる特徴を実現する。
【００３０】
図２と図３に示す以上の間接法作業模型は、以下のようにして製造される。
(1)  土台１の本体部６がプラスチックの射出成形で製造される。本体部６は、ダウエルピン３を挿入する連結穴５を備え、かつ石膏プレート部７の嵌着凹部８のある形状に成形される。土台１を成形するプラスチックは、たとえば、ポリエチレン樹脂、ポリプロピレン樹脂、ナイロン樹脂、ウレタン樹脂等である。
(2)  石膏プレート部７を成形する注入型に石膏泥を注入する。石膏泥は、石膏の粉末と水を混練りしてペースト状となっている未硬化の石膏である。この注入型は、ダウエルピン３を挿通する連結穴５を設けるピンを特定の位置に配置している。
(3)  石膏泥を硬化させた後、注入型から脱型する。
(4)  固定プレート２を成形する注入型の定位置に、複数のダウエルピン３を仮止めして、注入型に石膏泥を注入する。
(5)  石膏泥を硬化させた後、固定プレート２を注入型から脱型する。
(6)  固定プレート２の上面に歯形模型４を固定する。
【００３１】
さらに、図４と図５に示す間接法作業模型は、土台１を、プラスチックで成形して製作している本体部６と、この本体部６と固定プレート２との間に配設している石膏ブロック部２３とで構成している。本体部６と石膏ブロック部２３は、互いに嵌着構造で定位置に連結される。このことを実現するために、図の本体部６は、石膏ブロック部２３を挿入して定位置に連結する貫通部２４を中央部に開口している。貫通部２４は、石膏ブロック部２３を嵌入できるように、内形を石膏ブロック部２３の外形にほぼ等しく、正確には石膏ブロック部２３の外形よりもわずかに大きくしている。石膏ブロック部２３は、本体部６の外形よりも小さい外形としている。図に示す本体部６と石膏ブロック部２３は、石膏ブロック部２３をスムーズに貫通部２４に嵌入できるように、石膏ブロック部２３の外周面と貫通部２４の内周面を、図において下方に向かって次第に幅が狭くなるテーパー形状としている。本体部６の貫通部２４と石膏ブロック部２３は、互いの接触面を密着させて定位置に連結できる構造としている。
【００３２】
さらに、本体部６と石膏ブロック部２３は、貫通部２４の内側に石膏ブロック２３を嵌入する状態で、石膏ブロック部２３の上面が、本体部６の上面から突出する形状としている。本体部６と石膏ブロック部２３は、たとえば、石膏ブロック部２３の上面が、本体部６の上面よりも０．１ｍｍ〜５ｍｍ、好ましくは０．２ｍｍ〜３ｍｍ、さらに好ましくは０．３〜２ｍｍ突出する形状としている。この構造の土台１は、石膏ブロック部２３の上に固定している固定プレート２を簡単に切断できる。それは、固定プレート２と一緒に、プラスチック製の本体部６よりも切り易い石膏ブロック部２３の上面が切断されるからである。
【００３３】
石膏ブロック部２３は、全体を石膏で製作して、特定の決められた位置にダウエルピン３を挿通する連結穴５を設けている。石膏ブロック部２３に設けた連結穴５にダウエルピン３が挿入されて、固定プレート２は石膏ブロック部２３の定位置に連結して配置される。石膏ブロック部２３と本体部６とは定位置に連結しているので、石膏ブロック部２３の定位置に連結される固定プレート２は、石膏ブロック部２３と本体部６からなる土台１の定位置に連結される。
【００３４】
石膏ブロック部２３の上面は、その両側に連結凸部１０を一体的に成形して設けている。図の石膏ブロック部２３は、連結穴５の両側に連結凸部１０を設けている。固定プレート２は、連結凸部１０を案内する位置に連結凹部１１を設けている。この構造は、固定プレート２と石膏ブロック部２３の連結位置をより正確にできる。さらに、図の石膏ブロック部２３は、縦方向に伸びる連結凸条１２も上面に設けている。固定プレート２は、連結凸条１２を嵌入する連結溝（図示せず）を下面に設けている。固定プレート２と石膏ブロック部２３は、連結凸条１２を連結溝に入れて、さらに正確な位置に連結される。
【００３５】
石膏ブロック部２３は、固定プレート２と同じ外形としている。この構造の土台１は、固定プレート２を歯牙模型４Ａの間でさらに簡単に切断できる。それは、石膏ブロック部２３の上部を、固定プレート２の下部の一部と同じようにして切断できるからである。したがって、石膏ブロック部２３は、好ましくは固定プレート２の外形に等しく成形される。ただ、石膏ブロック部の外形は、固定プレートの外形よりも大きく、あるいは小さく、あるいはまた異なる形状とすることもできる。
【００３６】
以上の間接法作業模型は、土台１の約半分をプラスチック製の本体部６とする。土台１は、好ましくは、本体部６の体積を全体の３０％以上、好ましくは４０％以上、さらに好ましくは５０％以上とする。たとえば、土台１の本体部６の厚さを１５ｍｍ、幅を３０ｍｍ、全長を７０ｍｍとし、石膏ブロック部２３の厚さを１６ｍｍ、幅を１５ｍｍ、全長を６０ｍｍとすれば、本体部６の体積が５５％、石膏ブロック部２３が４５％となって、本体部６が５０％以上を示す。このように、土台１のほぼ半分をプラスチック製の本体部６とする間接法作業模型は、土台１を安価に多量生産できる。
【００３７】
図４と図５に示す以上の間接法作業模型は、以下のようにして製造される。
(1)  土台１の本体部６がプラスチックの射出成形で製造される。本体部６は、石膏ブロック部２３を嵌入する貫通部２４のある形状に成形される。土台１を成形するプラスチックは、たとえば、ポリエチレン樹脂、ポリプロピレン樹脂、ナイロン樹脂、ウレタン樹脂等である。
(2)  石膏ブロック部２３を成形する注入型に石膏泥を注入する。石膏泥は、石膏の粉末と水を混練りしてペースト状となっている未硬化の石膏である。この注入型は、ダウエルピン３を挿通する連結穴５を設けるピンを特定の位置に配置している。
(3)  石膏泥を硬化させた後、注入型から脱型する。
(4)  固定プレート２を成形する注入型の定位置に、複数のダウエルピン３を仮止めして、注入型に石膏泥を注入する。
(5)  石膏泥を硬化させた後、固定プレート２を注入型から脱型する。
(6)  固定プレート２の上面に歯形模型４を固定する。
【００３８】
図６と図７に示す間接法作業模型は、土台１と、この土台１の定位置に脱着できるように連結している石膏からなる固定プレート２と、この固定プレート２に一端を固定して、固定プレート２を土台１の定位置に脱着できるように連結する複数本のダウエルピン３と、固定プレート２に固定している歯形模型４とを備える。
【００３９】
この図の土台１も、ダウエルピン３を抜き差しできるように挿入する連結穴５を備える。この連結穴５にダウエルピン３を入れて、固定プレート２は土台１の定位置に脱着できるように連結される。
【００４０】
土台１は、プラスチックシートを上方開口の容器形状に成形している成形容器１３と、この成形容器１３に充填してなる石膏泥を硬化させた石膏成形部１４とを備える。石膏成形部１４の表面に成形容器１３が付着している。この成形容器１３は、石膏成形部１４を成形する成形型に使用され、成形後は分離されることなく、石膏成形部１４の表面をカバーして保護する。
【００４１】
成形容器１３は、ポリエチレンシート等の熱可塑性プラスチックのプラスチックシートを真空成形して製造される。この成形容器１３は、極めて安価に多量生産できる。成形容器１３は、内部に石膏泥を充填して土台１となる形状に成形している。成形容器１３は、底の周囲に周壁を設けて上方を開口している容器の形状に成形している。図の土台１は、平面形状をアーチ状に湾曲する形状とするので、底をアーチ状に湾曲する形状として、その周囲に周壁を設けている。周壁は土台１の高さを特定し、底の形状は土台１の平面形状を特定する。周壁は、ここに石膏泥を充填して高さを１０ｍｍ〜２０ｍｍとする土台１にできる幅としている。
【００４２】
土台１に連結される固定プレート２とダウエルピン３は、図２と図３に示す間接法作業模型と同じものが使用される。この構造の土台１は、以下のようにして製造される。
(1)  ダウエルピン３を固定している固定プレート２を成形容器１３の定位置に配置する。このとき、ダウエルピン３の表面と、固定プレート２の表面には離形剤を塗布して、成形容器１３の内面には離形剤を塗布しない。
固定プレート２は、たとえば、図６に示すように、ダウエルピン３の下端が成形容器１３の底面に当接する位置として、固定プレート２の下面が成形容器１３の開口端面よりも上方に位置するようにする。この状態は、たとえば、固定プレート２の下面から突出するダウエルピン３の全長を成形容器１３の深さよりも大きくして実現できる。ただ、固定プレートは、下面から突出するダウエルピンの全長を、成形容器の深さよりも小さくすることもできる。さらに、成形容器と固定プレートは、仮止め具（図示せず）を介して定位置にセットすることもできる。
(2)  成形容器１３とダウエルピン３と固定プレート２を定位置に配置する状態で、成形容器１３に石膏泥を充填する。このとき、石膏泥は、図６の鎖線で示すように、成形容器１３の開口端面よりも上方まで、盛り上がる状態で充填される。固定プレート２の下面に当接する突出部１７を石膏で成形するためである。
(3)  成形容器１３の開口端面よりも盛り上げて充填された石膏を、固定プレート２の外側で除去する。この部分の石膏は、たとえば、成形容器１３の開口端面と固定プレート２の外周面に沿って、ヘラ等の道具を移動させて簡単に除去できる。この部分の石膏が除去されることによって、固定プレート２の下方には、成形容器１３から上方に突出する突出部１７が石膏で成形される。
(4)  石膏泥を成形容器１３の内部で硬化させる。
(5)  石膏泥が硬化すると、成形容器１３とダウエルピン３と固定プレート２を仮止め具から外す。
(6)  ダウエルピン３と固定プレート２は土台１との境界に離形剤を塗布しているので、ダウエルピン３と固定プレート２は土台１から分離される。成形容器１３は離形剤を塗布してしないので、硬化した石膏が成形容器１３に付着される。
【００４３】
固定プレート２は、図２と図３の間接法作業模型と同じものであるから、下面に連結凹部１１や連結溝（図示せず）を設けている。石膏成形部１４は、上方に突出する突出部１７が固定プレート２の下面に密着するように成形されるので、突出部１７の上面に、連結凹部１１を案内する連結凸部１０と、連結溝に案内される連結凸条１２とが成形される。また、石膏成形部１４は、ダウエルピン３によって、これを案内する連結穴５も設けられる。
【００４４】
図８と図９に示す間接法作業模型は、土台１と、この土台１の定位置に連結される石膏の固定プレート２と、固定プレート２に上端を固定しているダウエルピン３と、固定プレート２に固定している歯形模型４とを備える。この構造の間接法作業模型は、土台１の上に石膏泥を充填して固定プレート２を成形する。
【００４５】
土台１は、ダウエルピン３を抜き差しできるように挿入する連結穴５を設けているプラスチックを成形してなるプラスチック成形土台１５である。プラスチック成形土台１５を成形するプラスチックは、ポリエチレン樹脂、ポリプロピレン樹脂、ナイロン樹脂、ウレタン樹脂等である。プラスチック成形土台１５は、これ等のプラスチックを射出成形して製造される。ただ、プラスチック成形土台は射出成形以外の方法で成形することもできるのは言うまでもない。
【００４６】
プラスチック成形土台１５は、固定プレート２を成形する石膏泥を充填して成形するための成形周壁１６を除去できるように連結して設けている。図のプラスチック成形土台１５である土台１は、成形周壁１６を設ける部分を上面に突出させている。突出部１７の周囲に沿って成形周壁１６を設けている。突出部１７の上で成形周壁１６の内側に石膏泥を充填して固定プレート２を成形する。突出部１７には、ダウエルピン３を入れる連結穴５を成形して設けている。さらに、図のプラスチック成形土台１５は、突出部１７の外側に、ダウエルピン３の位置を示すマーク１９を設けている。この構造のプラスチック成形土台１５は、マーク１９でダウエルピン３を確認しながら突出部１７の所定の位置に歯形模型４を配置して、歯形模型４と固定プレート２の切断位置をダウエルピン３の間に配置できる。
【００４７】
成形周壁１６とプラスチック成形土台１５はプラスチックで一体的に成形される。成形周壁１６とプラスチック成形土台１５との境界には切離部１８を設けている。切離部１８は、外側または内側の表面に設けた切断溝である。切断溝は、成形周壁１６の切断部を薄くして切断しやすくする。切離部１８は、必ずしも切断溝とする必要はなく、たとえば、多数の貫通孔を切断部に沿って設けることもできる。
【００４８】
また、成形周壁１６は、必ずしもプラスチック成形土台１５と一体的に成形する必要はなく、図１０に示すように、シート材を突出部１７の周縁に剥離できるように接着することもできる。また、図示しないが、切離部を設けたシート材を剥離できないように接着して、切離部で切り離すこともできる。
【００４９】
この間接法作業模型は、以下のようにして製作される。
(1)  プラスチック成形土台１５の突出部１７の上面に剥離剤を塗布して、連結穴５にダウエルピン３を挿入する。ダウエルピン３は、端部を固定プレート２に埋設するノーマルピン３Ａと、端部を固定プレート２に埋設しないダミーピン３Ｂとが使用される。ノーマルピン３Ａは、図１１に示すように、分割模型２０をプラスチック成形土台１５に連結する部分に使用される。いいかえると、切断された固定プレート２と歯形模型４を土台１に連結するダウエルピン３はノーマルピン３Ａが使用される。固定プレート２と歯形模型４を土台１に連結する必要のないダウエルピン３にはダミーピン３Ｂが使用される。ダミーピン３Ｂは、固定プレート２に連結されず、土台１の連結穴５を閉塞して、ここに石膏泥が充填されるのを阻止する。したがって、ダミーピン３Ｂは何回も繰り返し再使用できる。
【００５０】
(2)  成形周壁１６の内側に石膏泥を入れると共に、この石膏泥の上に歯形模型４を配置する。石膏泥は、固定プレート２を成形しながら、固定プレート２に歯形模型４を固定する。
(3)  石膏泥が硬化した後、成形周壁１６を除去する。
(4)  プラスチック成形土台１５の突出部１７の上面には剥離剤を塗布しているので、石膏泥が硬化して製作される固定プレート２は、プラスチック成形土台１５から分離される。ノーマルピン３Ａであるダウエルピン３は、上端を固定プレート２に埋設して固定プレート２に連結される。ダミーピン３Ｂは上端を突出部１７の上面と同一面としている。このため、固定プレート２には連結されない。このダミーピン３Ｂは、連結穴５に石膏泥が侵入するのを阻止する。
【００５１】
以上の実施例の間接法作業模型は、片顎の作業模型を示している。ただ、本発明の間接法作業模型は、全顎の作業模型とすることも、前歯部の作業模型とすることもできる。全顎の作業模型とする間接法作業模型は、土台、固定プレート、及び歯形模型を全顎に沿う形状として製作される。また、前歯部の作業模型とする間接法作業模型は、土台、固定プレート、及び歯形模型を前歯部に沿う形状として製作される。
【００５２】
以上の構造の間接法作業模型は、以下のようにして種々の歯冠補綴物の製作に使用される。
(1)  歯科医は、患者から印象を取る前に、歯冠補綴物を設ける部分の歯を、予め削って支台歯としている。したがって、間接法作業模型の歯形模型４は、歯冠補綴物２１を製作する部分に、支台歯模型２２が形成されている。
(2)  技工士は、間接法作業模型の支台歯模型２２に装着される歯冠補綴物２１をレジンや金属で作成するが、このときに支台歯模型２２の両側にある歯牙模型４Ａが邪魔になる。両側の歯牙模型４Ａが邪魔にならないようにするために分割模型２０を作る。分割模型４は、歯冠補綴物２１を製作する部分を隣接部分から分離できるようにしたものである。
(3)  分割模型２０は、図１１に示すように、間接法作業模型の歯形模型４と固定プレート２とを所定の位置で切断して製作される。歯形模型４と固定プレート２は、歯冠補綴物２１を製作する部分の両側であって、ノーマルピン３Ａの両側で切断される。この分割模型４は、ダウエルピン３を介して、土台１の定位置に脱着自在に装着される。
(4)  この状態で製作された分割模型２０を使用して、支台歯模型２２に装着される歯冠補綴物２１をレジンや金属で作成する。支台歯模型２２を土台１から分割できる分割模型２０は、隣接する歯牙模型４Ａとの境界であっても能率よく正確に加工できるので、能率よく歯冠補綴物２１が製作できる。
【図面の簡単な説明】
【００５３】
【図１】本発明者が先に開発した間接法作業模型の正面図である。
【図２】本発明の一実施例にかかる間接法作業模型の断面図である。
【図３】図２に示す間接法作業模型の分解斜視図である。
【図４】本発明の他の実施例にかかる間接法作業模型の断面図である。
【図５】図４に示す間接法作業模型の分解斜視図である。
【図６】本発明の他の実施例にかかる間接法作業模型の断面図である。
【図７】図６に示す間接法作業模型の製造工程を示す分解斜視図である。
【図８】本発明の他の実施例にかかる間接法作業模型の製造工程を示す分解
【図９】図８に示す間接法作業模型の製造工程を示す分解斜視図である。
【図１０】本発明の他の実施例にかかる間接法作業模型の製造工程を示す分解斜視図である。
【図１１】図８に示す間接法作業模型の分割模型を取り外す状態を示す側面図である。
【符号の説明】
【００５４】
１…土台
２…固定プレート
３…ダウエルピン          ３Ａ…ノーマルピン        ３Ｂ…ダミーピン
４…歯形模型              ４Ａ…歯牙模型
５…連結穴
６…本体部
７…石膏プレート部
８…嵌着凹部
９…凸条
１０…連結凸部
１１…連結凹部
１２…連結凸条
１３…成形容器
１４…石膏成形部
１５…プラスチック成形土台
１６…成形周壁
１７…突出部
１８…切離部
１９…マーク
２０…分割模型
２１…歯冠補綴物
２２…支台歯模型
２３…石膏ブロック部
２４…貫通部
３１…土台
３２…固定プレート
３３…ダウエルピン
３４…歯形模型
３５…連結穴
３６…凸部
【図１】
2006223693.tif 000003
【図２】
2006223693.tif 000004
【図３】
2006223693.tif 000005
【図４】
2006223693.tif 000006
【図５】
2006223693.tif 000007
【図６】
2006223693.tif 000008
【図７】
2006223693.tif 000009
【図８】
2006223693.tif 000010
【図９】
2006223693.tif 000011
【図１０】
2006223693.tif 000012
【図１１】
2006223693.tif 000013